(57)【要約】【課題】左右方向外側に引っ張る力が作用した場合であっても一対の係止部の係合外れを防止するとともに従来の構造と比べて曲げ抵抗の小さいチューブ型ケーブル類保護案内装置を提供すること。【解決手段】エラストマー樹脂製シート１００Ａが、外周壁形成部分１２０と、左右一対の側壁形成部分１３０と、左右一対の側壁形成部分１３０に垂設状態でそれぞれ一体成形されてケーブル収納空間Ｒの形成時に一対の係止部１４１をシート長手方向Ｌに沿って屈曲内周側で相互に係合させた状態で閉じ合わせて外周壁形成部分１２０に対向した壁を形成する内周壁形成部分１４０とを有し、一対の係止部１４１が、シート長手方向Ｌに延設され、相互に係合させた状態での左右方向Ｗに配列された複数の突条１４１ａをそれぞれ有し、相互に係合させた状態では、複数の突条１４１ａが、相互に互い違いに入り込んで係合する構成であるチューブ型ケーブル類保護案内装置１００。【選択図】図３
2014176279.tif 000002
【特許請求の範囲】
【請求項１】
シート長手方向に押し出し成形加工された長尺状のエラストマー樹脂製シートの両側を折り曲げて形成したケーブル収納空間内にケーブル類をシート長手方向に沿って収納して直線姿勢と屈曲姿勢とを繰り返すように構成したチューブ型ケーブル類保護案内装置において、
前記エラストマー樹脂製シートが、前記直線姿勢になる際にシート長手方向で隣接係合するとともに屈曲姿勢になる際にシート長手方向の所定ピッチで屈曲外周側で相互に分離拡開する外周壁形成部分と、該外周壁形成部分の両側に連続して配置されて直線姿勢になる際にシート長手方向で隣接係合するとともに屈曲姿勢になる際にシート長手方向の所定ピッチで相互に分離拡開する左右一対の側壁形成部分と、該左右一対の側壁形成部分に垂設状態でそれぞれ一体成形されてケーブル収納空間の形成時に一対の係止部をシート長手方向に沿って屈曲内周側で相互に係合させた状態で閉じ合わせて前記外周壁形成部分に対向した壁を形成する内周壁形成部分とを有し、
前記一対の係止部が、前記シート長手方向に延設され前記相互に係合させた状態での左右方向に配列された複数の突条をそれぞれ有し、
前記相互に係合させた状態では、前記複数の突条が、相互に互い違いに入り込んで係合する構成であることを特徴とするチューブ型ケーブル類保護案内装置。
【請求項２】
前記突条の頂部側が、前記突条の基部側に対してそれぞれ突条を配置した内周壁形成部分と接続する側壁形成部分側に傾いていることを特徴とする請求項１に記載のチューブ型ケーブル類保護案内装置。
【請求項３】
前記一対の係止部のうちの一方の係止部の少なくとも１つの突条の前記左右方向での両側が、前記一対の係止部のうちの他方の係止部の複数の突条と接触自在に構成されていることを特徴とする請求項１または請求項２に記載のチューブ型ケーブル類保護案内装置。
【請求項４】
前記一対の係止部が、前記突条の頂部側で該突条を配置した内周壁形成部分と接続する側壁形成部分側に突出した抜け止め突起をそれぞれ有していることを特徴とする請求項１乃至請求項３のいずれか１つに記載のチューブ型ケーブル類保護案内装置。
【請求項５】
前記一対の係止部が、前記内周壁形成部分の厚み中心線上の任意の点を基準としてシート長手方向から視て点対称の関係で配置されていることを特徴とする請求項１乃至請求項４のいずれか１つに記載のチューブ型ケーブル類保護案内装置。
【請求項６】
前記一対の係止部の突条の位置の屈曲内外方向での反対側の位置に溝が配設され、該溝が、前記シート長手方向に延設されていることを特徴とする請求項１乃至請求項５のいずれか１つに記載のチューブ型ケーブル類保護案内装置。
【発明の詳細な説明】
【技術分野】
【０００１】
本発明は、例えば、半導体製造装置、創薬試験装置、車両用ドア開閉装置、車両用スライドシート、車両用電動サンルーフなどの可動部材に電力や圧縮空気のエネルギーを供給するケーブルやホース等の比較的軽量、かつ、小径のケーブル類を収容するとともに、可動部材の移動中においてもケーブル類を安全に、かつ、確実に案内保護するのに好適なケーブル類保護案内装置に関する。
【背景技術】
【０００２】
従来、シート長手方向に押し出し成形加工された長尺状のエラストマー樹脂製シートの両側を折り曲げて形成したケーブル収納空間内にケーブル類をシート長手方向に沿って収納して直線姿勢と屈曲姿勢とを繰り返すように構成したチューブ型ケーブル類保護案内装置が知られている（例えば、特許文献１乃至３参照）。
このような従来のチューブ型ケーブル類保護案内装置として、例えば、図８（Ａ）および図８（Ｂ）に示すようなチューブ型ケーブル類保護案内装置７００がある。
ここで、図８（Ａ）は、従来技術のチューブ型ケーブル類保護案内装置７００の組立前の状態をシート長手方向Ｌから視た図であり、図８（Ｂ）は、従来技術のチューブ型ケーブル類保護案内装置７００の組立後の状態をシート長手方向Ｌから視た図である。
【０００３】
従来のチューブ型ケーブル類保護案内装置７００のエラストマー樹脂製シート７００Ａが、外周壁形成部分７２０と、左右一対の折り曲げ部分７１０と、左右一対の側壁形成部分７３０と、内周壁形成部分７４０とを有していた。
このうち、外周壁形成部分７２０は、直線姿勢になる際にシート長手方向Ｌで隣接係合するとともに屈曲姿勢になる際にシート長手方向Ｌの所定ピッチで屈曲外周側で相互に分離拡開するように設けられていた。
【０００４】
また、折り曲げ部分７１０は、外周壁形成部分７２０と側壁形成部分７３０との境界で肉薄に形成されており、折り曲げ部分７１０で折り曲げやすくなっていた。
さらに、左右一対の側壁形成部分７３０は、外周壁形成部分７２０の両側に連続して配置されて直線姿勢になる際にシート長手方向Ｌで隣接係合するとともに屈曲姿勢になる際にシート長手方向Ｌの所定ピッチで相互に分離拡開するように設けられていた。
【０００５】
また、内周壁形成部分７４０は、左右一対の側壁形成部分７３０に垂設状態でそれぞれ一体成形されてケーブル収納空間Ｒの形成時に一対の雌型内周壁部７４１Ａと雄型内周壁部７４１Ｂとをシート長手方向Ｌに沿って屈曲内周側で相互に係合させた状態で閉じ合わせて外周壁形成部分７２０に対向した壁を形成するように設けられていた。
【先行技術文献】
【特許文献】
【０００６】
【特許文献１】特開２００８−２６７４３６号公報
【特許文献２】特開２００８−１９９８６９号公報
【特許文献３】特開２００９−２９１０６０号公報
【発明の概要】
【発明が解決しようとする課題】
【０００７】
しかしながら、上述した従来のチューブ型ケーブル類保護案内装置７００は、内周壁形成部分７４０の一対の雌型内周壁部７４１Ａと雄型内周壁部７４１Ｂとが１箇所で単に係合する構造であったため、ケーブル類Ｃの本数が多くてケーブル収納空間Ｒ内で積み重なっている場合に左右両側の側壁形成部分７３０がケーブル類Ｃによって左右外側へ押し広げられ、一対の雌型内周壁部７４１Ａと雄型内周壁部７４１Ｂとが左右方向外側に引っ張られて係合が外れてしまう虞や、係合した状態の一対の雌型内周壁部７４１Ａと雄型内周壁部７４１Ｂとの厚みがあり屈曲姿勢になる際の曲げ抵抗が比較的大きく曲げにくいという問題があった。
【０００８】
そこで、本発明は、前述したような従来技術の問題を解決するものであって、すなわち、本発明の目的は、左右方向外側に引っ張る力が作用した場合であっても一対の係止部の係合外れを防止するとともに従来の構造と比べて曲げ抵抗の小さいチューブ型ケーブル類保護案内装置を提供することである。
【課題を解決するための手段】
【０００９】
本請求項１に係る発明は、シート長手方向に押し出し成形加工された長尺状のエラストマー樹脂製シートの両側を折り曲げて形成したケーブル収納空間内にケーブル類をシート長手方向に沿って収納して直線姿勢と屈曲姿勢とを繰り返すように構成したチューブ型ケーブル類保護案内装置において、前記エラストマー樹脂製シートが、前記直線姿勢になる際にシート長手方向で隣接係合するとともに屈曲姿勢になる際にシート長手方向の所定ピッチで屈曲外周側で相互に分離拡開する外周壁形成部分と、該外周壁形成部分の両側に連続して配置されて直線姿勢になる際にシート長手方向で隣接係合するとともに屈曲姿勢になる際にシート長手方向の所定ピッチで相互に分離拡開する左右一対の側壁形成部分と、該左右一対の側壁形成部分に垂設状態でそれぞれ一体成形されてケーブル収納空間の形成時に一対の係止部をシート長手方向に沿って屈曲内周側で相互に係合させた状態で閉じ合わせて前記外周壁形成部分に対向した壁を形成する内周壁形成部分とを有し、前記一対の係止部が、前記シート長手方向に延設され前記相互に係合させた状態での左右方向に配列された複数の突条をそれぞれ有し、前記相互に係合させた状態では、前記複数の突条が、相互に互い違いに入り込んで係合する構成であることにより、前述した課題を解決するものである。
【００１０】
本請求項２に係る発明は、請求項１に記載されたチューブ型ケーブル類保護案内装置の構成に加えて、前記突条の頂部側が、前記突条の基部側に対してそれぞれ突条を配置した内周壁形成部分と接続する側壁形成部分側に傾いていることにより、前述した課題をさらに解決するものである。
【００１１】
本請求項３に係る発明は、請求項１または請求項２に記載されたチューブ型ケーブル類保護案内装置の構成に加えて、前記一対の係止部のうちの一方の係止部の少なくとも１つの突条の前記左右方向での両側が、前記一対の係止部のうちの他方の係止部の複数の突条と接触自在に構成されていることにより、前述した課題をさらに解決するものである。
【００１２】
本請求項４に係る発明は、請求項１乃至請求項３のいずれか１つに記載されたチューブ型ケーブル類保護案内装置の構成に加えて、前記一対の係止部が、前記突条の頂部側で該突条を配置した内周壁形成部分と接続する側壁形成部分側に突出した抜け止め突起をそれぞれ有していることにより、前述した課題をさらに解決するものである。
【００１３】
本請求項５に係る発明は、請求項１乃至請求項４のいずれか１つに記載されたチューブ型ケーブル類保護案内装置の構成に加えて、前記一対の係止部が、前記内周壁形成部分の厚み中心線上の任意の点を基準としてシート長手方向から視て点対称の関係で配置されていることにより、前述した課題をさらに解決するものである。
【００１４】
本請求項６に係る発明は、請求項１乃至請求項５のいずれか１つに記載されたチューブ型ケーブル類保護案内装置の構成に加えて、前記一対の係止部の突条の位置の屈曲内外方向での反対側の位置に溝が配設され、該溝が、前記シート長手方向に延設されていることにより、前述した課題をさらに解決するものである。
【発明の効果】
【００１５】
本発明のチューブ型ケーブル類保護案内装置は、シート長手方向に押し出し成形加工された長尺状のエラストマー樹脂製シートの両側を折り曲げて形成したケーブル収納空間内にケーブル類をシート長手方向に沿って収納して直線姿勢と屈曲姿勢とを繰り返すように構成したことにより、ケーブル収納空間内に収納しようとするケーブル類が長尺体であっても、エラストマー樹脂製シートをこの長尺体の長さに応じて連続する一体物として裁断加工すれば、収納しようとするケーブル類に見合う最適長さのケーブル収納空間を簡便に確保できるばかりでなく、以下のような特有の効果を奏することができる。
【００１６】
本請求項１に係る発明のチューブ型ケーブル類保護案内装置によれば、エラストマー樹脂製シートが、直線姿勢になる際にシート長手方向で隣接係合するとともに屈曲姿勢になる際にシート長手方向の所定ピッチで屈曲外周側で相互に分離拡開する外周壁形成部分と、この外周壁形成部分の両側に連続して配置されて直線姿勢になる際にシート長手方向で隣接係合するとともに屈曲姿勢になる際にシート長手方向の所定ピッチで相互に分離拡開する左右一対の側壁形成部分と、この左右一対の側壁形成部分に垂設状態でそれぞれ一体成形されてケーブル収納空間の形成時に一対の係止部をシート長手方向に沿って屈曲内周側で相互に係合させた状態で閉じ合わせて外周壁形成部分に対向した壁を形成する内周壁形成部分とを有し、一対の係止部が、シート長手方向に延設され、相互に係合させた状態での左右方向に配列された複数の突条をそれぞれ有し、相互に係合させた状態では、複数の突条が、相互に互い違いに入り込んで係合する構成であることにより、係合した箇所が複数となるため、左右方向外側に引っ張る力が作用した場合であっても一対の係止部の係合外れを防止できる。
さらに、一対の係止部の厚みが従来の構造の厚みと比べて薄くなるため、屈曲姿勢になる際の曲げ抵抗を小さくできる。
【００１７】
本請求項２に係る発明のチューブ型ケーブル類保護案内装置によれば、請求項１に係る発明が奏する効果に加えて、突条の頂部側が、突条の基部側に対してそれぞれ突条を配置した内周壁形成部分と接続する側壁形成部分側に傾いていることにより、内周壁形成部分の壁の垂直方向に対して突条が傾いてフック状となり左右方向外側に引っ張る力が作用した場合に突条の頂部側が互いに突条の基部側へ食い込むように係合して係合が強固になるため、より確実に一対の係止部の係合外れを防止できる。
【００１８】
さらに、屈曲姿勢になる際に、突条の頂部側と基部側とに対して屈曲外周内周の差を無くすように力が作用して、突条の頂部側が基部側に対して傾いている側に突条が倒れるように変形し、一方の係合部の突条と内周壁形成部分の壁とがこの突条と係合している他方の係止部の突条を挟み込むため、より確実に一対の係止部の係合外れを防止できる。
また、屈曲姿勢のときに、内周壁形成部分の垂直方向に対する突条の傾きが急になり係合がより強固になるため、屈曲姿勢のときの係止力を大きくできる。
【００１９】
本請求項３に係る発明のチューブ型ケーブル類保護案内装置によれば、請求項１または請求項２に係る発明が奏する効果に加えて、一対の係止部のうちの一方の係止部の少なくとも１つの突条の左右方向での両側が、一対の係止部のうちの他方の係止部の複数の突条と接触自在に構成されていることにより、左右方向外側に引っ張る力が作用した場合に一方の係止部の突条が左右方向での力の向き上流側の他方の係止部の突条から押されて左右方向での力の向き下流側の他方の突条と密に接触して、一方の突条が他方の複数の突条に強く挟まれるため、左右方向外側に引っ張る力が作用した場合であってもより一層確実に一対の係止部の係合外れを防止できる。
【００２０】
本請求項４に係る発明のチューブ型ケーブル類保護案内装置によれば、請求項１乃至請求項３のいずれか１つに係る発明が奏する効果に加えて、一対の係止部が、突条の頂部側でこの突条を配置した内周壁形成部分と接続する側壁形成部分側に突出した抜け止め突起をそれぞれ有していることにより、左右方向外側に引っ張る力が大きく作用して一対の係止部の係合が外れそうになった場合、一対の係止部のそれぞれの抜け止め突起が互いに係合して相対的な位置関係が規制されるため、一対の係止部の係合が完全に外れてしまうことを防止できる。
【００２１】
本請求項５に係る発明のチューブ型ケーブル類保護案内装置によれば、請求項１乃至請求項４のいずれか１つに係る発明が奏する効果に加えて、一対の係止部が、内周壁形成部分の厚み中心線上の任意の点を基準としてシート長手方向から視て点対称の関係で配置されていることにより、内周壁形成部分の厚み中心線に対して内周壁形成部分での屈曲内周側と屈曲外周側との厚みの配分バランスがよくなって無理な力が作用せず曲げ抵抗が小さくなるため、直線姿勢から屈曲姿勢になる際にスムーズに屈曲できる。
【００２２】
本請求項６に係る発明のチューブ型ケーブル類保護案内装置によれば、請求項１乃至請求項５のいずれか１つに係る発明が奏する効果に加えて、一対の係止部の突条の位置の屈曲内外方向での反対側の位置に溝が配設され、この溝が、シート長手方向に延設されていることにより、突条の頂部と隣の突条の頂部との間を広げる際の弾性変形の抵抗が小さくなるため、容易に突条の頂部と隣の突条の頂部との間を広げて一対の係止部の突条を相互に互い違いに入り込ませて係合することができる。
【図面の簡単な説明】
【００２３】
【図１】本発明の実施例であるチューブ型ケーブル類保護案内装置の組立前の状態を示す斜視図。
【図２】本発明の実施例であるチューブ型ケーブル類保護案内装置の組立後の状態を示す斜視図。
【図３】（Ａ）は図１に示す符号３Ａから視た図、（Ｂ）は図２に示す符号３Ｂから視た図。
【図４】（Ａ）は図３（Ａ）に示す符号４Ａから視た図、（Ｂ）は図３（Ｂ）に示す符号４Ｂから視た図。
【図５】（Ａ）はチューブ型ケーブル類保護案内装置の直線姿勢を示す側面図、（Ｂ）は屈曲姿勢を示す側面図。
【図６】（Ａ）はシート長手方向から視た一対の係止部を示す図、（Ｂ）は（Ａ）に示す状態から内周壁形成部分に対して左右方向外側へ力が作用した際の一対の係止部を示す図、（Ｃ）は（Ｂ）に示す状態からさらに左右方向外側への力が作用した際の一対の係止部を示す図。
【図７】（Ａ）は図６（Ａ）と同様でシート長手方向から視た一対の係止部を示す図、（Ｂ）は（Ａ）に示す状態からチューブ型ケーブル類保護案内装置の屈曲姿勢となる際の一対の係止部を示す図。
【図８】従来技術のチューブ型ケーブル類保護案内装置の組立前の図および組立後の図。
【発明を実施するための形態】
【００２４】
本発明は、シート長手方向に押し出し成形加工された長尺状のエラストマー樹脂製シートの両側を折り曲げて形成したケーブル収納空間内にケーブル類をシート長手方向に沿って収納して直線姿勢と屈曲姿勢とを繰り返すように構成したチューブ型ケーブル類保護案内装置において、エラストマー樹脂製シートが、直線姿勢になる際にシート長手方向で隣接係合するとともに屈曲姿勢になる際にシート長手方向の所定ピッチで屈曲外周側で相互に分離拡開する外周壁形成部分と、この外周壁形成部分の両側に連続して配置されて直線姿勢になる際にシート長手方向で隣接係合するとともに屈曲姿勢になる際にシート長手方向の所定ピッチで相互に分離拡開する左右一対の側壁形成部分と、この左右一対の側壁形成部分に垂設状態でそれぞれ一体成形されてケーブル収納空間の形成時に一対の係止部をシート長手方向に沿って屈曲内周側で相互に係合させた状態で閉じ合わせて外周壁形成部分に対向した壁を形成する内周壁形成部分とを有し、一対の係止部が、シート長手方向に延設され、相互に係合させた状態での左右方向に配列された複数の突条をそれぞれ有し、相互に係合させた状態では、複数の突条が、相互に互い違いに入り込んで係合する構成であることにより、左右方向外側に引っ張る力が作用した場合であっても一対の係止部の係合外れを防止するとともに従来の構造と比べて曲げ抵抗が小さくなるものであれば、その具体的な実施態様は、如何なるものであっても構わない。
【００２５】
例えば、本発明のチューブ型ケーブル類保護案内装置においてエラストマー樹脂製シートに延在させた左右一対の折り曲げ部分の具体的な折り曲げ形態については、外周壁形成部分に対して側壁形成部分が直立するように折り曲げられる形態であればよい。
特に、ケーブル収納空間の内側が円弧状になるような折り曲げ形態の場合は、外周壁形成部分と側壁形成部分との間に生じがちな折り曲げた後の反発力を小さくすることができるので、より好ましい。
【００２６】
さらに、本発明のチューブ型ケーブル類保護案内装置における外周壁形成部分と側壁形成部分と内周壁形成部分との材質については、ポリエステル系またはオレフィン系のエラストマー樹脂であればよい。
また、内周壁形成部分の材質を外周壁形成部分と側壁形成部分の材質と異ならせて多色成形加工により一体成形することにより、保護案内するケーブル類の収納本数、ケーブル類の剛性に応じた内周壁形成部分の嵌合力となるように選択して調整してもよい。
【実施例】
【００２７】
以下に、本発明の実施例であるチューブ型ケーブル類保護案内装置１００について、図１乃至図７（Ｂ）に基づいて説明する。
【００２８】
本発明の実施例であるチューブ型ケーブル類保護案内装置１００は、例えば、半導体製造装置、創薬試験装置、車両用ドア開閉装置、車両用スライドシート、車両用電動サンルーフなどの可動部と静止部とを接続し、電気信号の伝達や供給を行う電気ケーブルや圧力液体や圧力気体を供給するホースのようなケーブル類Ｃを保護案内するために使用されるものである。
そして、可動部と静止部（図示しない）との間の相対的な遠隔移動状況に応じて直線姿勢、あるいは、屈曲姿勢を呈することができるように構成されている。
【００２９】
図１乃至図５（Ｂ）に示すように、チューブ型ケーブル類保護案内装置１００は、シート長手方向Ｌに押し出し成形加工された長尺状のエラストマー樹脂製シート１００Ａの両側（特に図１および図３（Ａ）参照）を折り曲げて形成したケーブル収納空間Ｒ内（特に図２および図３（Ｂ）参照）にケーブル類Ｃをシート長手方向Ｌに沿って収納して直線姿勢（図５（Ａ）参照）と屈曲姿勢（図５（Ｂ）参照）とを繰り返すように構成されている。
なお、本実施例では、左右一対ある構成要素のうち、一方の構成要素の符号の最後にＬを必要に応じて付し、他方の構成要素の符号の最後にＲを必要に応じて付して説明する。
【００３０】
また、エラストマー樹脂製シート１００Ａが、外周壁形成部分１２０と、左右一対の側壁形成部分１３０と、内周壁形成部分１４０とを有している。
このうち、外周壁形成部分１２０は、直線姿勢になる際にシート長手方向Ｌで隣接係合するとともに屈曲姿勢になる際にシート長手方向Ｌの所定ピッチで屈曲外周側で相互に分離拡開するように設けられている。
【００３１】
さらに、左右一対の側壁形成部分１３０は、外周壁形成部分１２０の両側に連続して配置されて直線姿勢になる際にシート長手方向Ｌで隣接係合するとともに屈曲姿勢になる際にシート長手方向Ｌの所定ピッチで相互に分離拡開するように設けられている。
また、内周壁形成部分１４０は、左右一対の側壁形成部分１３０に垂設状態でそれぞれ一体成形されてケーブル収納空間Ｒの形成時に一対の係止部１４１をシート長手方向Ｌに沿って屈曲内周側で相互に係合させた状態で閉じ合わせて外周壁形成部分１２０に対向した壁を形成するように設けられている。
【００３２】
より具体的には、外周壁形成部分１２０と側壁形成部分１３０との境界の折り曲げ部分１１０が、肉薄に形成されており、折り曲げ部分１１０で折り曲げやすくなっている。
また、外周壁形成部分１２０および側壁形成部分１３０には、屈曲姿勢になる際にそれぞれ相互に分離拡開するように複数の分割スリット１５０が、シート長手方向Ｌに等間隔で左右方向Ｗに延設されている。
【００３３】
さらに内周壁形成部分１４０に設けられた一対の係止部１４１が、シート長手方向Ｌに延設され、相互に係合させた状態での左右方向Ｗに配列された複数の突条１４１ａをそれぞれ有している。
そして、相互に係合させた状態では、図６（Ａ）に示すように、複数の突条１４１ａが、相互に互い違いに入り込んで係合する構成である。
これにより、係合した箇所が複数となる。
さらに、一対の係止部１４１の厚みが従来の構造（図８（Ｂ）参照）の厚みと比べて薄くなる。
【００３４】
さらに、突条１４１ａの頂部１４１ａａ側が、突条１４１ａの基部１４１ａｂ側に対してそれぞれ突条１４１ａを配置した内周壁形成部分１４０と接続する側壁形成部分１３０側に傾いている。
これにより、内周壁形成部分１４０の壁の垂直方向に対して突条１４１ａが傾いてフック状となる。
そして、図６（Ｂ）に示すように、左右方向外側に引っ張る力が作用した場合、突条１４１ａの頂部１４１ａａ側が互いに突条１４１ａの基部１４１ａｂ側へ食い込むように係合して係合が強固になる。
【００３５】
さらに、一対の係止部１４１のうちの一方の係止部１４１Ｌの少なくとも１つの突条１４１ａＬ”の左右方向Ｗでの両側である一方側１４１ａｃＬ”および他方側１４１ａｄＬ”が、一対の係止部１４１のうちの他方の係止部１４１Ｒの複数の突条１４１ａＲ’、１４１ａＲ”と接触自在に構成されている。
ここで、符号「’」は、それぞれの内周壁形成部分１４０Ｌ、Ｒの先端側から１番目の突条を示し、符号「”」は、それぞれの内周壁形成部分１４０Ｌ、Ｒの先端側から２番目の突条を示しており、それぞれ必要に応じて符号「’」および「”」を付して説明する。
これにより、図６（Ｃ）に示すように、左右方向外側に引っ張る力がさらに作用した場合、一方の係止部１４１Ｌの突条１４１ａＬ”が左右方向Ｗでの力の向き上流側（図中の左側）の他方の係止部１４１Ｒの突条１４１ａＲ’から押されて、左右方向Ｗでの力の向き下流側（図中の右側）の他方の突条１４１ａＲ”と密に接触して、一方の突条１４１ａＬ”が他方の複数の突条１４１ａＲ’、１４１ａＲ”に強く挟まれる。
【００３６】
より具体的には、一方の内周壁形成部分１４０Ｌの先端側から２番目の突条１４１ａＬ”が、他方の内周壁形成部分１４０Ｒの先端側から１番目の突条１４１ａＲ’により押されて変形しながら、他方の内周壁形成部分１４０Ｒの先端側から２番目の突条１４１ａＲ”と密に接触する。
これに伴い、一方の内周壁形成部分１４０Ｌの先端側から２番目の突条１４１ａＬ”が、他方の内周壁形成部分１４０Ｒの先端側から１番目の突条１４１ａＲ’と２番目の突条１４１ａＲ”とにより強く挟まれた状態となる。
【００３７】
同様に、他方の内周壁形成部分１４０Ｒの先端側から２番目の突条１４１ａＲ”が、一方の内周壁形成部分１４０Ｌの先端側から１番目の突条１４１ａＬ’により押されて変形しながら、一方の内周壁形成部分１４０Ｌの先端側から２番目の突条１４１ａＬ”と密に接触する。
これに伴い、他方の内周壁形成部分１４０Ｒの先端側から２番目の突条１４１ａＲ”が、一方の内周壁形成部分１４０Ｌの先端側から１番目の突条１４１ａＬ’と２番目の突条１４１ａＬ”とにより強く挟まれた状態となる。
つまり、一対の係止部１４１の係合が強固になる。
【００３８】
さらに、本実施例では、一対の係止部１４１が、突条１４１ａの頂部１４１ａａ側でこの突条１４１ａを配置した内周壁形成部分１４０と接続する側壁形成部分１３０側に突出した抜け止め突起１４１ｂをそれぞれ有している。
これにより、左右方向外側に引っ張る力が大きく作用して一対の係止部１４１の係合が外れそうになった場合であっても、一対の係止部１４１のそれぞれの抜け止め突起１４１ｂが互いに係合して相対的な位置関係が規制される。
【００３９】
また、本実施例では、一対の係止部１４１が、内周壁形成部分１４０の厚み中心線１４０ａ上の任意の点を基準としてシート長手方向Ｌから視て点対称の関係で配置されている。
これにより、内周壁形成部分１４０の厚み中心線１４０ａに対して内周壁形成部分１４０での屈曲内周側と屈曲外周側との厚みの配分バランスがよくなって、直線姿勢から屈曲姿勢になる際に無理な力が作用せず曲げ抵抗が小さくなる。
【００４０】
さらに、本実施例では、一対の係止部１４１の突条１４１ａの位置の屈曲内外方向での反対側の位置に一例として深さの比較的浅い溝１４１ｃが配設され、この溝１４１ｃが、シート長手方向Ｌに延設されている。
これにより、一対の係止部１４１を互いに係合させる際、突条１４１ａの頂部１４１ａａと隣の突条１４１ａの頂部１４１ａａとの間を広げるときの弾性変形の抵抗が小さくなる。
【００４１】
続いて、直線姿勢（図５（Ａ）参照）から屈曲姿勢（図５（Ｂ）参照）になる際の一対の係止部１４１の係合状態について説明する。
左右方向外側に引っ張る力が作用していない場合で、直線姿勢のとき、一対の係止部１４１の係合状態は、図７（Ａ）に示すとおりである。
そして、屈曲姿勢（図５（Ｂ）参照）になる際、屈曲する箇所では図７（Ｂ）に示すように、突条１４１ａの頂部１４１ａａ側と基部１４１ａｂ側とに対して屈曲外周内周の差を無くすように力が作用する。
【００４２】
すると、突条１４１ａの頂部１４１ａａ側が基部１４１ａｂ側に対して傾いている側に突条１４１ａが倒れるように変形する。
そして、一方の係合部１４１Ｌの突条１４１ａＬ’と内周壁形成部分１４０の壁を構成する一方の係合部１４１Ｌの基部１４１ｄＬとがこの突条１４１ａＬ’と係合している他方の係止部１４１Ｒの突条１４１ａＲ”を挟み込む。
同様に、一方の係合部１４１Ｌの突条１４１ａＬ”と内周壁形成部分１４０の壁を構成する一方の係合部１４１Ｌの基部１４１ｄＬとがこの突条１４１ａＬ”と係合している他方の係止部１４１Ｒの突条１４１ａＲ’を挟み込む。
また、他方の係合部１４１Ｒの突条１４１ａＲ’と内周壁形成部分１４０の壁を構成する他方の係合部１４１Ｒの基部１４１ｄＲとがこの突条１４１ａＲ’と係合している一方の係止部１４１Ｌの突条１４１ａＬ”を挟み込む。
同様に、他方の係合部１４１Ｒの突条１４１ａＲ”と内周壁形成部分１４０の壁を構成する他方の係合部１４１Ｒの基部１４１ｄＲとがこの突条１４１ａＲ”と係合している一方の係止部１４１Ｌの突条１４１ａＬ’を挟み込む。
また、屈曲姿勢のときに、内周壁形成部分１４０の垂直方向に対する突条１４１ａの傾きが急になり係合がより強固になる。
【００４３】
このようにして得られた本発明の実施例であるチューブ型ケーブル類保護案内装置１００は、エラストマー樹脂製シート１００Ａが、直線姿勢になる際にシート長手方向Ｌで隣接係合するとともに屈曲姿勢になる際にシート長手方向Ｌの所定ピッチで屈曲外周側で相互に分離拡開する外周壁形成部分１２０と、この外周壁形成部分１２０の両側に連続して配置されて直線姿勢になる際にシート長手方向Ｌで隣接係合するとともに屈曲姿勢になる際にシート長手方向Ｌの所定ピッチで相互に分離拡開する左右一対の側壁形成部分１３０と、この左右一対の側壁形成部分１３０に垂設状態でそれぞれ一体成形されてケーブル収納空間Ｒの形成時に一対の係止部１４１をシート長手方向Ｌに沿って屈曲内周側で相互に係合させた状態で閉じ合わせて外周壁形成部分１２０に対向した壁を形成する内周壁形成部分１４０とを有し、一対の係止部１４１が、シート長手方向Ｌに延設され、相互に係合させた状態での左右方向Ｗに配列された複数の突条１４１ａをそれぞれ有し、相互に係合させた状態では、複数の突条１４１ａが、相互に互い違いに入り込んで係合する構成であることにより、左右方向外側に引っ張る力が作用した場合であっても一対の係止部１４１の係合外れを防止できるとともに、従来の構造と比べて、屈曲姿勢になる際の曲げ抵抗を小さくできる。
【００４４】
さらに、突条１４１ａの頂部１４１ａａ側が、突条１４１ａの基部１４１ａｂ側に対してそれぞれ突条１４１ａを配置した内周壁形成部分１４０と接続する側壁形成部分１３０側に傾いていることにより、より確実に一対の係止部１４１の係合外れを防止できる。
また、一対の係止部１４１の一方の少なくとも１つの突条１４１ａの左右方向Ｗでの両側が、一対の係止部１４１の他方の複数の突条１４１ａと接触していることにより、左右方向外側に引っ張る力が作用した場合であってもより一層確実に一対の係止部１４１の係合外れを防止できる。
【００４５】
さらに、一対の係止部１４１が、突条１４１ａの頂部１４１ａａ側でこの突条１４１ａを配置した内周壁形成部分１４０と接続する側壁形成部分１３０側に突出した抜け止め突起１４１ｂをそれぞれ有していることにより、左右方向外側に引っ張る力が大きく作用して一対の係止部１４１の係合が外れそうになった場合であっても、一対の係止部１４１の係合が完全に外れてしまうことを防止できる。
また、一対の係止部１４１が、内周壁形成部分１４０の厚み中心線１４０ａを基準としてシート長手方向Ｌから視て点対称の関係で配置されていることにより、直線姿勢から屈曲姿勢になる際にスムーズに屈曲できる。
【００４６】
また、一対の係止部１４１の突条１４１ａの位置の屈曲内外方向での反対側の位置に溝１４１ｃが配設され、この溝１４１ｃが、シート長手方向Ｌに延設されていることにより、組み立てる際、容易に突条１４１ａの頂部１４１ａａと隣の突条１４１ａの頂部１４１ａａとの間を広げて一対の係止部１４１の突条１４１ａを相互に互い違いに入り込ませて係合することができるなど、その効果は甚大である。
【符号の説明】
【００４７】
１００、  ７００  ・・・  チューブ型ケーブル類保護案内装置
１００Ａ、７００Ａ・・・  エラストマー樹脂製シート
１１０、  ７１０  ・・・  折り曲げ部分
１２０、  ７２０  ・・・  外周壁形成部分
１３０、  ７３０  ・・・  （一対の）側壁形成部分
１３０Ｌ          ・・・  一方の側壁形成部分
１３０Ｒ          ・・・  他方の側壁形成部分
１４０、  ７４０  ・・・  （一対の）内周壁形成部分
１４０Ｌ          ・・・  一方の内周壁形成部分
１４０ａ          ・・・  （内周壁形成部分の）厚み中心線
１４０Ｒ          ・・・  他方の内周壁形成部分
１４１            ・・・  （一対の）係止部
１４１Ｌ          ・・・  一方の係止部
１４１Ｒ          ・・・  他方の係止部
７４１Ａ・・・  雌型内周壁部
７４１Ｂ・・・  雄型内周壁部
１４１ａ          ・・・  突条
１４１ａＬ        ・・・  （一方の係止部の）突条
１４１ａＬ’      ・・・  内周壁形成部分の先端側から１番目の突条
１４１ａＬ”      ・・・  内周壁形成部分の先端側から２番目の突条
１４１ａＲ        ・・・  （他方の係止部の）突条
１４１ａＲ’      ・・・  内周壁形成部分の先端側から１番目の突条
１４１ａＲ”      ・・・  内周壁形成部分の先端側から２番目の突条
１４１ａａ        ・・・  頂部
１４１ａｂ        ・・・  基部
１４１ａｃ        ・・・  突条の左右方向での一方側
１４１ａｄ        ・・・  突条の左右方向での他方側
１４１ｂ          ・・・  抜け止め突起
１４１ｃ          ・・・  溝
１４１ｄ          ・・・  係合部の基部
１５０            ・・・  分割スリット
Ｃ                ・・・  ケーブル類
Ｌ                ・・・  シート長手方向
Ｒ                ・・・  ケーブル収納空間
Ｗ                ・・・  左右方向
【図１】
2014176279.tif 000003
【図２】
2014176279.tif 000004
【図３】
2014176279.tif 000005
【図４】
2014176279.tif 000006
【図５】
2014176279.tif 000007
【図６】
2014176279.tif 000008
【図７】
2014176279.tif 000009
【図８】
2014176279.tif 000010